【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
ＯＣＴ光学系を用いて得た被検眼の３次元の断層画像データを解析することにより、前記３次元の断層画像データにおける前記被検眼の篩状板領域を特定する特定手段と、
前記３次元の断層画像データの少なくとも一部を用いて、前記被検眼の輝度正面画像及びモーションコントラスト正面画像を生成する生成手段と、
前記輝度正面画像と前記モーションコントラスト正面画像との少なくとも１つを、前記被検眼の深さ方向に交差する方向における前記特定された篩状板領域の位置に関する情報が重畳された状態で表示手段に表示させる表示制御手段と、
を有する画像処理装置。
【請求項２】
前記生成手段は、前記被検眼の深さ方向における前記特定された篩状板領域の位置に関する情報と、前記深さ方向に交差する方向における前記特定された篩状板領域の位置に関する情報との少なくとも１つを用いて得られた前記３次元の断層画像データの一部を用いて、前記輝度正面画像及び前記モーションコントラスト正面画像を生成する請求項１に記載の画像処理装置。
【請求項３】
前記特定手段は、前記被検眼の深さ方向における前記特定された篩状板領域の位置に関する情報と、前記深さ方向に交差する方向における前記特定された篩状板領域の位置に関する情報との少なくとも１つの変更を、操作者の指示に応じて実行する請求項２に記載の画像処理装置。
【請求項４】
前記表示制御手段は、前記被検眼の深さ方向を示す２次元の断層画像または前記輝度正面画像を前記表示手段に表示させ、
前記特定手段は、前記表示された画像上での操作者の指示に応じて前記変更を実行する請求項３に記載の画像処理装置。
【請求項５】
前記被検眼の深さ方向に交差する方向における前記特定された篩状板領域の位置に関する情報は、前記輝度正面画像及び前記モーションコントラスト正面画像の面内方向における前記特定された篩状板領域の位置を示す情報である請求項１乃至４のいずれか１項に記載の画像処理装置。
【請求項６】
前記表示制御手段は、前記モーションコントラスト正面画像または前記モーションコントラスト正面画像に関する解析結果と、前記輝度正面画像または前記輝度正面画像に関する解析結果とを、並べて表示する機能と重畳表示する機能とのいずれかが操作者の指示に応じて選択的に実行可能に構成される請求項１乃至５のいずれか１項に記載の画像処理装置。
【請求項７】
前記表示制御手段は、異なる日に実行された複数の検査に対応する、複数の輝度正面画像、複数のモーションコントラスト正面画像、前記複数の輝度正面画像に関する複数の解析結果、前記複数のモーションコントラスト正面画像に関する複数の解析結果、の少なくとも１つを時系列で前記表示手段に表示させる請求項１乃至６のいずれか１項に記載の画像処理装置。
【請求項８】
前記被検眼の同一位置を走査するように制御された測定光に基づいて得られた複数の３次元の断層画像データを取得する取得手段を更に有し、
前記生成手段は、前記複数の３次元の断層画像データのうち少なくとも１つの３次元の断層画像データを用いて前記輝度正面画像を生成し、前記複数の３次元の断層画像データを用いて前記モーションコントラスト正面画像を生成する請求項１乃至７のいずれか１項に記載の画像処理装置。
【請求項９】
前記３次元の断層画像データは、前記ＯＣＴ光学系を用いて得た前記被検眼の異なる位置の複数の２次元の断層画像データを含み、
前記表示制御手段は、前記複数の２次元の断層画像データのうち少なくとも１つの２次元の断層画像データを用いて前記特定された篩状板領域を解析して得た結果を示す情報を前記表示手段に表示させる請求項１乃至８のいずれか１項に記載の画像処理装置。
【請求項１０】
ＯＣＴ光学系を用いて得た被検眼の３次元の断層画像データに含まれる前記被検眼の異なる位置の複数の２次元の断層画像データのうち少なくとも１つの２次元の断層画像データを解析することにより、前記少なくとも１つの２次元の断層画像データにおける前記被検眼の眼底の層境界及び篩状板領域を特定する特定手段と、
前記被検眼の深さ方向を示す２次元の断層画像を、前記篩状板領域の位置に関する情報が重畳された状態で表示手段に表示させ、前記少なくとも１つの２次元の断層画像データにおける視神経乳頭領域の内側において前記篩状板領域を解析して得た結果を示す情報を表示手段に表示させ、前記少なくとも１つの２次元の断層画像データにおける視神経乳頭領域の外側において前記眼底の層境界に基づいて得られる情報を前記表示手段に表示させる表示制御手段と、
を有することを特徴とする画像処理装置。
【請求項１１】
前記結果を示す情報は、前記３次元の断層画像データを用いて得た、血管領域の位置、無血管領域の位置、無血管領域の形状、血管領域の面積、無血管領域の面積、血管の長さ、血管の曲率、血管の密度のうち少なくとも１つである請求項９または１０に記載の画像処理装置。
【請求項１２】
前記結果を示す情報は、前記少なくとも１つの２次元の断層画像データを用いて得た、篩状板孔領域の位置、篩状板領域の厚さ、篩状板孔領域の面積の少なくとも１つである請求項９または１０に記載の画像処理装置。
【請求項１３】
被検眼の同一位置を走査するように制御された測定光に基づいて得られた複数の断層画像データのうち少なくとも１つの断層画像データにおける所定の部位を特定する特定手段と、
前記少なくとも１つの断層画像データと前記特定された所定の部位に関する情報とを用いて前記被検眼の輝度正面画像を生成し、前記複数の断層画像データと前記特定された所定の部位に関する情報とを用いて前記被検眼のモーションコントラスト正面画像を生成する生成手段と、
前記輝度正面画像と前記モーションコントラスト正面画像とのうち一方の画像に関する解析結果に、前記特定された所定の部位における他方の画像に関する解析結果を、重畳した状態で表示手段に表示させる表示制御手段と、
を有する画像処理装置。
【請求項１４】
ＯＣＴ光学系を用いて得た被検眼の３次元の断層画像データを解析することにより、前記３次元の断層画像データにおける前記被検眼の篩状板領域を特定する工程と、
前記３次元の断層画像データの少なくとも一部を用いて、前記被検眼の輝度正面画像及びモーションコントラスト正面画像を生成する工程と、
前記輝度正面画像と前記モーションコントラスト正面画像との少なくとも１つを、前記被検眼の深さ方向に交差する方向における前記特定された篩状板領域の位置に関する情報が重畳された状態で表示手段に表示させる工程と、
を有する画像処理方法。
【請求項１５】
ＯＣＴ光学系を用いて得た被検眼の３次元の断層画像データに含まれる前記被検眼の異なる位置の複数の２次元の断層画像データのうち少なくとも１つの２次元の断層画像データを解析することにより、前記少なくとも１つの２次元の断層画像データにおける前記被検眼の眼底の層境界及び篩状板領域を特定する工程と、
前記被検眼の深さ方向を示す２次元の断層画像を、前記篩状板領域の位置に関する情報が重畳された状態で表示手段に表示させ、前記少なくとも１つの２次元の断層画像データにおける視神経乳頭領域の内側において前記篩状板領域を解析して得た結果を示す情報を表示手段に表示させ、前記少なくとも１つの２次元の断層画像データにおける視神経乳頭領域の外側において前記眼底の層境界に基づいて得られる情報を前記表示手段に表示させる工程と、
を有する画像処理方法。
【請求項１６】
被検眼の同一位置を走査するように制御された測定光に基づいて得られた複数の断層画像データのうち少なくとも１つの断層画像データにおける所定の部位を特定する工程と、
前記少なくとも１つの断層画像データと前記特定された所定の部位に関する情報とを用いて前記被検眼の輝度正面画像を生成し、前記複数の断層画像データと前記特定された所定の部位に関する情報とを用いて前記被検眼のモーションコントラスト正面画像を生成する工程と、
前記輝度正面画像と前記モーションコントラスト正面画像とのうち一方の画像に関する解析結果に、前記特定された所定の部位における他方の画像に関する解析結果を、重畳した状態で表示手段に表示させる工程と、
を有する画像処理方法。
【請求項１７】
請求項１４乃至１６のいずれか１項に記載の画像処理方法の各工程をコンピュータに実行させるプログラム。
【手続補正２】
【補正対象書類名】明細書
【補正対象項目名】００１０
【補正方法】変更
【補正の内容】
【００１０】
上記目的を達成するための、開示の画像処理装置の一つは、
ＯＣＴ光学系を用いて得た被検眼の３次元の断層画像データを解析することにより、前記３次元の断層画像データにおける前記被検眼の篩状板領域を特定する特定手段と、
前記３次元の断層画像データの少なくとも一部を用いて、前記被検眼の輝度正面画像及びモーションコントラスト正面画像を生成する生成手段と、
前記輝度正面画像と前記モーションコントラスト正面画像との少なくとも１つを、前記被検眼の深さ方向に交差する方向における前記特定された篩状板領域の位置に関する情報が重畳された状態で表示手段に表示させる表示制御手段と、を有する。